(57)【要約】【課題】周囲光に対応して自動的にフレア補正の帯域およびゲインを調整できる画像表示装置のフレア補正回路、および画像表示装置のフレア補正方法を提供する。【解決手段】周囲光検出部５１は、内蔵する明度測定センサにより周辺の明度を測定して、測定された明度の情報をフレア補正量判定部５２に出力し、フレア補正量判定部５２では、判定回路において、予め記憶されている計算式による演算、および予め設定されているルックアップテーブルのいずれかによって、周囲環境明度に対応したフレア補正量の調整量を算出してフレア補正回路２０に出力し、フレア補正回路２０はフレア補正の帯域およびゲインを調整して画像処理部３０に出力する。【選択図】図１
2006254238.tif 000002
【特許請求の範囲】
【請求項１】
フレア補正回路によってフレア補正された映像信号が画像処理部に出力される画像表示装置において、
前記フレア補正回路の帯域を調整する、画像表示装置のフレア補正回路。
【請求項２】
フレア補正回路によってフレア補正された映像信号が画像処理部に出力される画像表示装置において、
前記フレア補正回路におけるゲインおよび帯域を調整する、画像表示装置のフレア補正回路。
【請求項３】
フレア補正回路によってフレア補正された映像信号が画像処理部に出力される画像表示装置において、
前記フレア補正回路の帯域を、周囲光の明度によって自動的に調整する、請求項１または請求項２に記載の画像表示装置のフレア補正回路。
【請求項４】
前記周囲光の明度が、周囲光検出部により検出され、
前記帯域が、フレア補正量判定部により、予め記憶されている計算式による演算に基づいて周囲光明度から算出される、請求項３に記載の画像表示装置のフレア補正回路。
【請求項５】
前記周囲光の明度が、周囲光検出部により測定され、
前記帯域が、フレア補正量判定部により、予め設定されているルックアップテーブルに基づいて周囲光明度から算出される、請求項３に記載の画像表示装置のフレア補正回路。
【請求項６】
前記周囲光検出部が、フォトトランジスタを有する、請求項４または請求項５に記載の画像表示装置のフレア補正回路。
【請求項７】
前記フレア補正量判定部は、アナログ回路、デジタル回路、およびＣＰＵのいずれかにより構成される、請求項４または請求項５に記載の画像表示装置のフレア補正回路装置。
【請求項８】
前記周囲光検出部は、前記画像表示装置の上部に設けられている、請求項３から請求項７のいずれか１項に記載の画像表示装置のフレア補正回路。
【請求項９】
前記周囲光検出部は、前記画像表示装置を制御するリモートコントローラに設けられている、請求項３から請求項７のいずれか１項に記載の画像表示装置のフレア補正回路。
【請求項１０】
画像表示装置の周辺の明度を測定するステップと、
予め記憶されている計算式による演算、および予め設定されているルックアップテーブルのいずれかによって、周囲の明度に対応したフレア補正回路の帯域を算出するステップと、
算出された帯域によって、画像処理部に出力される映像信号のフレア補正を行うステップと、
を有するフレア補正方法。
【発明の詳細な説明】
【技術分野】
【０００１】
本発明は、画像表示装置のフレア補正回路、および画像表示装置のフレア補正方法に関し、特に周囲の明度によりフレア補正量の調整を行う画像表示装置のフレア補正回路、および画像表示装置のフレア方法に関する。
【背景技術】
【０００２】
大型の画像面を持つプロジェクタ等において、高品質の画面を得るためには走査本数の増加とともに画質良化の要求に対応する必要がある。画質良化についていえば、例えば図５に示すように周辺部６１は所定の色彩であり、中央部６２は周辺部６１と異なる彩色である画像を表示した場合、両領域の接触部であるエッジ部６３がぼけるフレアという現象を生ずる。図６は光出力のレンズによるフレア現象を説明するための画像の模式図である。フレア現象は投射レンズのＭＴＦ（空間周波数特性）が有限であることにより発生する、輝度差や色度差の大きい境界部分であるエッジ部６３がぼける現象である。
【０００３】
図７は図６の光出力のレンズによるフレアを補正するための映像信号の説明図であり、（ａ）は通常の映像信号であり、（ｂ）はフレア補正のために補正された映像信号である。図５の水平方向の走査線６４に対応する映像信号は、周辺部６１を黒、中央部６２を白とした場合にその映像信号７１は図７（ａ）に示すような矩形パルス信号となる。これを図７（ｂ）に示す補正された映像信号７２のような中高域の周波数成分を強調した信号に変換して照射面に表示させた場合には、輝度差や色度差の大きい部分も明確に見えるようになる。したがって映像信号にこのような補正を行うことにより、フレアの影響を軽減することができる。このような補正を本明細書ではフレア補正という。
【０００４】
映像信号に行う装置については、特許文献１、特許文献２、特許文献３に開示されている。
【特許文献１】特開昭６１−２７０９９３号公報
【特許文献２】特開昭６１−８７４９３号公報
【特許文献３】特開平１−２４６９８４号公報
【発明の開示】
【発明が解決しようとする課題】
【０００５】
特許文献１に記載の装置ではフレア補正を行うにあたり、視聴者がゲインを好みの設定に手動で調整する方法が行なわれている。
特許文献１に記載の装置のように、ゲインだけを調整するフレア補正では、エッジ部分のぼけはある程度解消されるものの、却ってギラツキ感が増す場合があるなどの弊害がある。
また、フレア現象は投射レンズのＭＴＦが有限であることにより発生するものであり、本来、周囲の環境等（周囲の明るさなど）には無関係に投射レンズの性能のみに起因する。しかし、現実には、フレアが視聴者に与える感覚は、そのときの周囲光などの環境条件によって変化する。したがって、特許文献１に記載の装置では、周囲の明るさに応じて、いちいち視聴者が設定を手動で調整しなければいけないという課題がある。
【０００６】
本発明の目的は、フレア補正においてフレア補正回路の帯域を調整する、画像表示装置のフレア補正回路を提供することにある。あるいは、本発明の目的は、周囲光に対応して自動的にフレア補正回路の帯域を調整する画像表示装置のフレア補正回路、および画像表示装置のフレア補正方法を提供することにある。
【課題を解決するための手段】
【０００７】
本発明の画像表示装置のフレア補正回路は、
フレア補正回路によってフレア補正された映像信号が画像処理部に出力される画像表示装置において、フレア補正回路の帯域を調整する。
【０００８】
他の態様では、フレア補正回路によってフレア補正された映像信号が画像処理部に出力される画像表示装置において、フレア補正回路におけるゲインおよび帯域を調整する。
【０００９】
フレア補正回路によってフレア補正された映像信号が画像処理部に出力される画像表示装置において、フレア補正回路の帯域を、周囲光の明度によって自動的に調整してもよい。周囲光の明度が、周囲光検出部により検出され、帯域が、フレア補正量判定部により、予め記憶されている計算式による演算に基づいて周囲光明度から算出されてもよく、周囲光の明度が、周囲光検出部により測定され、帯域が、フレア補正量判定部により、予め設定されているルックアップテーブルに基づいて周囲光明度から算出されてもよい。
【００１０】
周囲光検出部が、フォトトランジスタを有してもよく、フレア補正量判定部は、アナログ回路、デジタル回路、およびＣＰＵのいずれかにより構成されてもよく、周囲光検出部は、画像表示装置の上部に設けられてもよいし、画像表示装置を制御するリモートコントローラに設けられてもよい。
【００１１】
本発明の画像表示装置のフレア補正方法は、
画像表示装置の周辺の明度を測定するステップと、予め記憶されている計算式による演算、および予め設定されているルックアップテーブルのいずれかによって、周囲の明度に対応したフレア補正回路の帯域を算出するステップと、算出された帯域によって、画像処理部に出力される映像信号のフレア補正を行うステップと、を有する。
【００１２】
周囲の明度によりフレア補正の補正量を調整するので、周囲の明度に対応して視聴者の感覚に対応したフレア補正が行われる。
【発明の効果】
【００１３】
本発明は、フレア補正回路における帯域を調整するので、フレア補正機能を搭載した画像表示装置において、周囲光に応じた適切なコントラスト感を得ることができるという効果がある。
【発明を実施するための最良の形態】
【００１４】
本実施の形態は、周囲光の強度をセンサにより感知し、周囲光の強度に応じて自動的にフレア補正回路のゲインおよび帯域を視覚にとって望ましい量に調整するものである。フレア補正は、見かけのコントラスト感を増加させるための映像信号の補正である。例えば、部屋が明るい環境では、暗い環境に比べて自動的にフレア補正回路のゲインおよび帯域を増加させることにより、周囲光に応じた適切なコントラスト感を自動的に得ることができる。
【００１５】
次に、本発明の実施の形態について図面を参照して説明する。図１は本発明の実施の形態のフレア補正回路を説明するための模式的ブロック図である。
【００１６】
フレア補正回路１０は３原色の映像信号であるＲ色映像信号１ａ、Ｇ色映像信号２ａ、Ｂ色映像信号３ａがそれぞれ入力する第１のＡ／Ｄコンバータ１１、第２のＡ／Ｄコンバータ１２、第３のＡ／Ｄコンバータ１３、フレア補正量判定部５２、および入力した映像信号に対してフレア補正をおこなって補正された３原色の映像信号１ｂ、２ｂ、３ｂとして出力するフレア補正部２０を有する。
【００１７】
周囲光検出部５１は、表示デバイス４０周辺の明るさに対応する光強度を測定する周囲環境明度測定センサを有する。フレア補正量判定部５２は、周囲光検出部５１で検出した周囲環境明度を基に周囲環境明度に対応した望ましいコントラストを得るためのフレア補正回路の帯域およびゲインを判定して、その信号をフレア補正部２０に出力する。フレア補正量判定部５２からの信号に基づいた帯域およびゲインのフレア補正がなされた３原色の映像信号が、フレア補正部２０から画像処理部３０に送られる。画像処理部３０では、必要な処理が行なわれて出力映像が表示デバイス４０に送られる。周囲環境明度測定センサとしては、例えばフォトトランジスタが用いられる。
【００１８】
フレア補正回路１０は、既に開示されている、例えば特許文献１に記載のテレビジョン画質改善装置などの回路が適用できるのでここでは詳細な説明を省略するが、フレア補正部２０の基本的な回路は図２に示すとおりである。図２はフレア補正部における各色の映像信号に対するフレア補正の模式的な基本回路のブロック図である。フレア補正部２０は、遅延回路２１、垂直ＬＰＦ（ローパスフィルタ）部２２、水平ＬＰＦ部２３、カットオフ周波数設定部２４、合成回路２５、２８、ゲイン設定部２６、および係数回路２７を有し、各入力のフレア補正を行って画像処理部３０に出力する。また、ここでは３原色の映像信号の各色によって補正を行うこととしているが、映像信号が輝度信号・色差赤信号・色差青信号として入力されても同様に補正を行うことができる。
【００１９】
次にフレア補正回路１０の動作について説明する。フレア補正回路１０には３原色の映像信号のＲ色映像信号１ａ、Ｇ色映像信号２ａ、Ｂ色映像信号３ａが入力する。入力した各映像信号は、それぞれ第１のＡ／Ｄコンバータ１１、第２のＡ／Ｄコンバータ１２、第３のＡ／Ｄコンバータ１３に入力してデジタル変換されて、フレア補正部２０に出力される。フレア補正部２０においては、それぞれの映像信号についての入力信号を、カットオフ周波数設定部２４からの設定信号が入力する垂直ＬＰＦ（ローパスフィルタ）部２２および水平ＬＰＦ部２３を通過させる。垂直ＬＰＦ部２２および水平ＬＰＦ部２３を通った信号（２次元の低域信号）の２次元ＬＰＦによる遅延を合わせるために遅延回路２１を通した入力信号から水平ＬＰＦ部２３の出力信号を合成回路２５で減算することによって２次元の中高域信号を抽出する。さらに、ゲイン設定部２６により係数回路２７でゲイン調整してから合成回路２８で元となる入力信号に加算して出力信号とする。フレア補正回路の帯域は、この２次元のＬＰＦのカットオフ周波数を調整することにより加減することができる。フレア補正回路の帯域とは、２次元のＬＰＦのカットオフ周波数を指し、２次元の中高域通過フィルタのカットオフ周波数ともいうことができる。このフレア補正回路の帯域を調整することにより、フレア補正成分（フレア補正のために付加された中高域成分）の範囲、すなわちエッジ部のスロープの大きさを増減することができる。フレア補正の範囲とは図３のｆ1 に示す領域で、２次元のＬＰＦのカットオフ周波数を低く調整するとｆ1 の領域は広がり、２次元のＬＰＦのカットオフ周波数を高く調整するとｆ1 の領域は狭くなる。ビデオ信号の場合、水平ＬＰＦのカットオフ周波数は数百ＫＨｚ程度に調整すると好ましい効果を得られることが知られている。垂直ＬＰＦのカットオフ周波数は、水平ＬＰＦに合わせて調整することが望ましい。ゲインはゲイン設定部の設定値を調整することにより加減することができる。フレア補正部２０からは、入力したＲ色映像信号１ａ、Ｇ色映像信号２ａ、Ｂ色映像信号３ａが処理されて、フレア補正されたＲ色映像信号１ｂ、フレア補正されたＧ色映像信号２ｂ、フレア補正されたＢ色映像信号３ｂとして画像処理部３０に出力する。
【００２０】
これらの処理は、コントラスト感の向上を実現するものであり、図５〜図７を参照して従来技術で説明したように、中高域成分を強調した信号に変換して照射面に表示させる。図３は図６に示したレンズによるフレアを本願の実施の形態のフレア補正回路でフレア補正した模式図である。図６のフレアをフレア補正回路で補正して図３のようにエッジを立てると人間の眼にはコントラストが増大して見える効果があるので輝度差や色度差の大きい部分も明確に見えるようになる。これはクレイク−オブライエン効果といわれるものである。エッジ部分のゲインとエッジ部のスロープの大きさは大きいほどコントラスト増大感には効果的だが、過ぎると不自然な画像になりその程度は外部の明るさに左右される。したがって外部の明るさによって調整することが望ましく、従来技術では視聴者が自分の感覚で手動でゲインの調整ができる機能を有するものもあるが、フレア補正に関してエッジ部のスロープの大きさの調整のできるものはない。本実施の形態のフレア補正部２０ではゲインおよびエッジ部のスロープの大きさの調整が可能となっており、フレア補正量判定部５２からの信号がカットオフ周波数設定部２４およびゲイン設定部２６に入力されて、ゲインおよび帯域が望ましい値に調整される。
【００２１】
人間の視覚特性として周囲が明るい場合には感度が落ちるため、視点の周囲が明るい場合には、フレア補正のゲインの調整だけでは効果が薄いので、例えば明るさが所定のしきい値を超えるとフレア補正のゲインとともにエッジ部のスロープの大きさも増やすことが望ましい。フレア補正量判定部５２ではこの調整量を判定する。図４は本実施の形態の周囲の明るさに対するフレア補正の度合いを示す模式図であり、（ａ）は帯域調整のグラフであり、（ｂ）はゲイン調整のグラフである。ここでは周囲の明るさにしきい値を設けて、ゲインはすべての範囲で周囲の明るさに比例して増減しているが、エッジ部のスロープの大きさはしきい値以上では周囲の明るさに比例して増減ししきい値以下では固定している。これは一例であり暗くなるに従ってゲインとともにエッジ部のスロープの大きさを減らすこともできる。また、比例関係も直線的でなくてもよい。
【００２２】
画像処理部３０では、入力した、フレア補正が行なわれた映像信号に基づいて表示デバイス４０に表示するための処理が行なわれて、表示デバイス４０において画像として表示される。表示デバイス４０としては、例えばブラウン管・液晶デバイス・プラズマデバイス・ＤＭＤデバイスなどあらゆるデバイスが想定されるが、ここではどの種類の表示デバイスにも適用できる。
【００２３】
周囲光検出部５１は、内蔵する周囲環境明度測定センサにより表示デバイス４０周辺の明度を測定する。周囲光検出部５１にて測定された明度の情報は、フレア補正量判定部５２に送られる。周囲光検出部５１の設置位置は、本来は視聴位置における明るさが検出できることが理想的であるが、画像表示装置ではどこが視聴位置であるかを特定することができないので、ここでは、通常視聴者は画像表示装置の近傍でスクリーンを見ることが多いと仮定されるので、画像表示装置の筐体の天板に周囲光検出部５１を設けることとしている。しかし、画像表示装置をリモートコントローラで操作する場合リモートコントローラの位置は画像表示装置の位置よりも視聴位置に近いとも考えられるのでリモートコントローラに周囲光検出部５１を設けて周囲の明るさを測定して画像表示装置に伝送してもよい。この場合、明るさの測定結果は赤外線や無線でプロジェクタへ伝送することもできる。
【００２４】
フレア補正量判定部５２では予め記憶されている計算式による演算、もしくは、予め設定されているルックアップテーブルなどによって周囲環境明度に対応したフレア補正のゲインおよび帯域を算出する。フレア補正量判定部５２の判定回路としては、アナログ回路・デジタル回路・ＣＰＵ等のデバイスが適用できる。算出されたフレア補正のゲインおよび帯域はフレア補正部２０に出力される。フレア補正部２０では、入力したゲインおよび帯域により上述のようにフレア補正を行う。これによって、表示デバイス４０には表示デバイス４０周辺の明度に対応したフレア補正の行なわれた画像が表示される。
【００２５】
上述の実施の形態では、フレア補正回路のゲインと帯域の双方を調整する形態について述べたが、帯域のみを調整する実施形態であっても、本発明の効果は十分奏される。また、上述の実施の形態では、自動でフレア補正量を調整する形態について述べたが、フレア補正量は手動で調整されても構わない。また、上述の実施の形態では、周囲光検出部は画像表示装置の筐体の天板に設けたが、その位置は画像表示装置の上部であればどこであっても本発明の実施に支障はない。
【図面の簡単な説明】
【００２６】
【図１】本発明の実施の形態のフレア補正回路を説明するための模式的ブロック図である。
【図２】フレア補正部における各色の映像信号に対するフレア補正の模式的な基本回路のブロック図である。
【図３】図６の画像のフレアを本願の実施の形態のフレア補正回路で補正した模式図である。
【図４】本実施の形態の周囲の明るさに対するフレア補正の度合いを示す模式図であり、（ａ）はフレア補正の帯域調整のグラフであり、（ｂ）はフレア補正のゲイン調整のグラフである。
【図５】フレア現象を説明するための画像の模式図である。
【図６】光出力のレンズによるフレア現象を説明するための画像の模式図である。
【図７】フレア現象を説明するための通常の映像信号とフレア補正のために補正された映像信号の比較図であり、（ａ）は通常の映像信号であり、（ｂ）はフレア補正のために補正された映像信号である。
【符号の説明】
【００２７】
１ａ    Ｒ色映像信号
２ａ    Ｇ色映像信号
３ａ    Ｂ色映像信号
１ｂ    補正されたＲ色映像信号
２ｂ    補正されたＧ色映像信号
３ｂ    補正されたＢ色映像信号
１０    フレア補正回路
１１    第１のＡ／Ｄコンバータ
１２    第２のＡ／Ｄコンバータ
１３    第３のＡ／Ｄコンバータ
２０    フレア補正部
２１    遅延回路
２２    垂直ＬＰＦ部
２３    水平ＬＰＦ部
２４    カットオフ周波数設定部
２５、２８    合成回路
２６    ゲイン設定部
２７    係数回路
３０    画像処理部
４０    表示デバイス
５１    周囲光検出部
５２    フレア補正量判定部
６１    周辺部
６２    中央部
６３    エッジ部
６４    走査線
７１    映像信号
７２    補正された映像信号
【図１】
2006254238.tif 000003
【図２】
2006254238.tif 000004
【図３】
2006254238.tif 000005
【図４】
2006254238.tif 000006
【図５】
2006254238.tif 000007
【図６】
2006254238.tif 000008
【図７】
2006254238.tif 000009